(57)【要約】【課題】吸蔵剤から窒素酸化物を放出させるべく空燃比をリッチ化する処理を、トルク変動をより適切に抑制しつつ行うことのできる燃料噴射制御装置を提供する。【解決手段】リッチ燃焼制御に切り替えられるとき、図５（ａ）に一点鎖線にて示す目標吸気量がステップ的に低減され、且つ図５（ｂ）に示すようにＥＧＲバルブの開度指令値がステップ的に増加される。これに伴い、吸気量が漸減しＥＧＲ量が漸増するため、燃焼室に流入する酸素量（シリンダ流入酸素量）が漸減する。酸素量の漸減に応じて噴射量を漸増させる。【選択図】      図５
2008088838.tif 000002
【特許請求の範囲】
【請求項１】
排気中の空燃比がリーンであるときに窒素酸化物を吸蔵し、該空燃比がリッチであるときに窒素酸化物を放出する吸蔵剤を備える内燃機関について、該内燃機関の燃料噴射弁を操作することで燃料噴射制御を行う燃料噴射制御装置において、
前記吸蔵剤から前記窒素酸化物を放出させることが所望される条件下、前記内燃機関の吸気系に吸入される新気量を低減させる新気量低減手段と、
前記新気量の低減に際し、前記内燃機関の燃焼室に流入する酸素量の漸減に応じて前記燃料噴射弁の噴射量を漸増させる噴射量漸増手段とを備えることを特徴とする燃料噴射制御装置。
【請求項２】
前記噴射量漸増手段は、前記内燃機関の燃焼室に流入する酸素量が漸減する期間内に噴射量の漸増を完了させることを特徴とする請求項１記載の燃料噴射制御装置。
【請求項３】
前記噴射量漸増手段は、前記燃焼室に流入する酸素量を推定する手段を備え、該推定される酸素量に応じて前記噴射量を漸増させる処理を行うことを特徴とする請求項１又は２記載の燃料噴射制御装置。
【請求項４】
前記噴射量漸増手段は、前記推定される酸素量に加え、前記内燃機関の回転速度に応じて前記噴射量を漸増させる処理を行うことを特徴とする請求項３記載の燃料噴射制御装置。
【請求項５】
前記噴射量漸増手段は、前記内燃機関の回転速度及び負荷に基づき、前記酸素量の漸減に応じた前記噴射量の漸増処理を行うことを特徴とする請求項１又は２記載の燃料噴射制御装置。
【請求項６】
前記新気量低減手段は、前記内燃機関の新気量を調節するアクチュエータの操作量の指令値及び前記新気量の目標値の少なくとも一方をステップ状に変化させることで前記新気量を低減させる処理を行うことを特徴とする請求項１〜５のいずれかに記載の燃料噴射制御装置。
【発明の詳細な説明】
【技術分野】
【０００１】
本発明は、排気中の空燃比がリーンであるときに窒素酸化物を吸蔵し、該空燃比がリッチであるときに窒素酸化物を放出する吸蔵剤を備える内燃機関について、該内燃機関の燃料噴射弁を操作することで燃料噴射制御を行う燃料噴射制御装置に関する。
【背景技術】
【０００２】
この種の燃料噴射制御装置としては、例えば下記特許文献１に見られるように、吸蔵剤に吸蔵されている窒素酸化物（ＮＯｘ）量が所定以上となるとき、ガソリン機関の空燃比を一時的にリッチとし、吸蔵剤からＮＯｘを放出させるとともに放出されたＮＯｘを還元浄化させるものも提案されている。また、この制御装置では、空燃比をリッチとする際のトルク変動を抑制すべく、点火時期を遅角操作するようにしている。
【特許文献１】特開平６−１０８８２４号公報
【発明の開示】
【発明が解決しようとする課題】
【０００３】
ただし、ガソリン機関の燃焼状態を良好に維持する観点から、点火時期の遅角量に制約が生じる。更に、ディーゼル機関においては、空燃比をリッチとする際のトルクの変動を抑制すべく、噴射時期を遅角させることが考えられるが、この場合にも、ディーゼル機関の燃焼状態を良好に保つ観点から、噴射時期の遅角量に制約が生じる。特にリッチ燃焼時にはディーゼル機関の燃焼状態が不安定化するため、噴射時期を遅角することで失火を招くおそれがある。
【０００４】
本発明は、上記課題を解決するためになされたものであり、その目的は、吸蔵剤から窒素酸化物を放出させるべく空燃比をリッチ化する処理を、トルク変動をより適切に抑制しつつ行うことのできる燃料噴射制御装置を提供することにある。
【課題を解決するための手段】
【０００５】
以下、上記課題を解決するための手段、及びその作用効果について記載する。
【０００６】
請求項１記載の発明は、前記吸蔵剤から前記窒素酸化物を放出させることが所望される条件下、前記内燃機関の吸気系に吸入される新気量を低減させる新気量低減手段と、前記新気量の低減に際し、前記内燃機関の燃焼室に流入する酸素量の漸減に応じて前記燃料噴射弁の噴射量を漸増させる噴射量漸増手段とを備えることを特徴とする。
【０００７】
新気量を低減させる処理をしたとしても、実際に燃焼室に流入する新気量が低減するまでには応答遅れがある。このため、新気量の低減にかかる操作がなされると、燃焼室に流入する酸素量は、漸減することとなる。したがって、新気量の低減にかかる操作と同時に噴射量を一気に増大させたのでは、噴射量の増大に起因した出力トルクの増大を招く。この点、上記構成では、燃焼室に流入する酸素量の漸減に応じて噴射燃料量を漸増させるために、一時的に酸素量が十分にある状況で燃料量が増加する現象が生じることを好適に回避することができる。そして、漸減する都度の酸素量にとってトルクを増大させない程度の燃料量を噴射することができる。
【０００８】
請求項２記載の発明は、請求項１記載の発明において、前記噴射量漸増手段は、前記内燃機関の燃焼室に流入する酸素量が漸減する期間内に噴射量の漸増を完了させることを特徴とする。
【０００９】
上記構成では、出力トルクの変動を好適に抑制しつつも、内燃機関の空燃比を、吸蔵剤から前記窒素酸化物を放出させるリッチ燃焼制御による所望の値に迅速に移行させることができる。
【００１０】
請求項３記載の発明は、請求項１又は２記載の発明において、前記噴射量漸増手段は、前記燃焼室に流入する酸素量を推定する手段を備え、該推定される酸素量に応じて前記噴射量を漸増させる処理を行うことを特徴とする。
【００１１】
上記構成では、燃焼室に流入する酸素量を推定する手段を備えるために、酸素量の漸減に応じた噴射燃料量の漸増にかかる処理を好適に行うことができる。
【００１２】
請求項４記載の発明は、請求項３記載の発明において、前記噴射量漸増手段は、前記推定される酸素量に加え、前記内燃機関の回転速度に応じて前記噴射量を漸増させる処理を行うことを特徴とする。
【００１３】
リッチ燃焼状態にあっては、燃料の燃焼に利用される酸素の利用率が回転変動によって変動するために、噴射量によっては出力トルクが一義的に定まらない。上記構成では、この点に着目し、回転速度に応じて噴射量を漸増させるために、出力トルクの変動をより好適に抑制することができる。
【００１４】
請求項５記載の発明は、請求項１又は２記載の発明において、前記噴射量漸増手段は、前記内燃機関の回転速度及び負荷に基づき、前記酸素量の漸減に応じた前記噴射量の漸増処理を行うことを特徴とする。
【００１５】
上述したように、新気量の低減にかかる操作によって燃焼室内に流入する酸素量は漸減する。ここで、リッチ燃焼時には燃料の燃焼に利用される酸素の利用率が回転速度に応じて変化するため、出力トルクを変化させないための燃料量は、酸素量によって一義的には定まらない。この点、上記構成では、酸素の利用率を定めるパラメータである回転速度に基づき噴射量の漸増処理を行うために、出力トルクを変動させないうえで適切な態様にて噴射量の漸増処理をすることができる。
【００１６】
一方、負荷は、現在要求されている出力トルクを定めるパラメータである。この点、上記構成では、負荷に基づき噴射量の漸増処理をするために、要求されている出力トルクを生成する上で適切な態様にて噴射量の漸増処理を行なうことができる。
【００１７】
請求項６記載の発明は、請求項１〜５のいずれかに記載の発明において、前記新気量低減手段は、前記内燃機関の新気量を調節するアクチュエータの操作量の指令値及び前記新気量の目標値の少なくとも一方をステップ状に変化させることで前記新気量を低減させる処理を行うことを特徴とする。
【００１８】
上記構成では、上記操作量の指令値や新気量の目標値をステップ状に変化させるために、燃焼室に流入される酸素量をリッチ燃焼時の所望の酸素量に極力迅速に制御することができる。このため、リッチ燃焼期間を極力短縮することができる。
【発明を実施するための最良の形態】
【００１９】
（第１の実施形態）
以下、本発明にかかる内燃機関の燃料噴射制御装置を車載ディーゼル機関の燃料噴射制御装置に適用した第１の実施形態について、図面を参照しつつ説明する。
【００２０】
図１に、本実施形態にかかるエンジンシステムの全体構成を示す。
【００２１】
図示されるように、ディーゼル機関１０の吸気通路１２の上流には、エアクリーナ１４、エアフローメータ１６、クーラ１８、スロットルバルブ２０等が設けられている。また、吸気通路１２のうちスロットルバルブ２０の下流には、吸気温センサ２２及び吸気圧センサ２４が設けられている。吸気通路１２は、マニホールド２５を介して各気筒（ここでは、１番気筒＃１〜４番気筒＃４の４気筒を例示）の燃焼室２６と連通可能とされている。これら燃焼室２６には、コモンレール２８に蓄えられた高圧の燃料が燃料噴射弁３０を介して噴射される。これにより、燃焼室２６内の燃料と空気との混合気が燃焼に供され、ディーゼル機関１０の回転力が生成される。
【００２２】
一方、燃焼に供された空気である排気は、排気通路３２に排出される。排気通路３２には、排気中の酸素濃度を検出する酸素濃度センサ３４が設けられている。また、排気通路３２には、酸化触媒３６や、窒素酸化物（ＮＯｘ）を吸蔵及び還元するためのＮＯｘ吸蔵還元触媒３８が設けられている。
【００２３】
また、吸気通路１２と排気通路３２とには、これらを連通可能とする排気還流通路（ＥＧＲ通路４０）が設けられており、吸気通路１２とＥＧＲ通路４０との間の流路面積がＥＧＲバルブ４２によって調節可能となっている。
【００２４】
上記エンジンシステムは、ディーゼル機関１０の運転状態を検出するセンサとして、上述したものに加えて、ディーゼル機関１０のクランク軸の回転角度を検出するクランク角センサ４４等を備えている。また、エンジンシステムは、アクセルペダルの操作量を検出するアクセルセンサ４６等、ユーザによる要求を検出する各種センサを備えている。
【００２５】
電子制御装置（ＥＣＵ５０）は、ディーゼル機関１０の運転状態やユーザの要求を検出する各種センサの検出値に基づき、燃料噴射弁３０等の各種アクチュエータを操作することで、ディーゼル機関１０の出力特性（出力トルク、排気特性）を制御する。
【００２６】
上記出力制御として、基本的には、燃焼室２６内に流入する空気量（酸素量）が過剰な状態で燃焼制御を行ういわゆるリーン燃焼制御を行う。そして、この際、排気中に排出されるＮＯｘは、ＮＯｘ吸蔵還元触媒３８に吸蔵される。そして、ＮＯｘ吸蔵還元触媒３８に吸蔵されたＮＯｘ量が所定以上となると、一時的にリッチ燃焼制御を行う。これにより、ＮＯｘ吸蔵還元触媒３８内に吸蔵されたＮＯｘが放出され、且つ放出されたＮＯｘを排気中の未燃燃料によって還元浄化される。
【００２７】
詳しくは、このリッチ燃焼制御は、燃料噴射量の増量と吸気通路１２内に吸入される空気量（新気量）の低減とによって実現される。ここで、新気量の低減は、スロットルバルブ２０の開度の低減操作とＥＧＲバルブ４２の開度の増大操作とからなる。ただし、スロットルバルブ２０の開度の低減操作及びＥＧＲバルブ４２の開度の増大操作を行なったとしても、燃焼室２６内に実際に流入する酸素量が低減するのには応答遅れが生じる。すなわち、上記操作をステップ状に行ったとしても燃焼室２６内に流入する酸素量は漸減する。これに対し、噴射量を増量する操作は、上記流入酸素量の変化と比較して迅速に行うことが可能である。このため、リッチ燃焼制御への切り替えに際しては、酸素量の低減量に比較して噴射量の増量量が過大となり、噴射量の増量に起因して出力トルクが増大するおそれがある。
【００２８】
そこで本実施形態では、燃焼室２６内に流入する酸素量の漸減に応じて噴射量を漸増させることで、出力トルクの増大の回避を図る。図２に、本実施形態にかかるリッチ燃焼制御の処理を示す。
【００２９】
吸気量目標値設定部Ｂ２は、ディーゼル機関１０の回転速度と負荷とに関する情報に基づき、吸気量の目標値（目標吸気量）を設定する部分である。本実施形態では、負荷として、要求トルクＤＴを用いる。ここで、要求トルクは、アクセルペダルの操作量と回転速度によって定まるものとすればよい。
【００３０】
偏差算出部Ｂ４は、エアフローメータ１６によって検出される吸入空気量ＭＡＦと、目標空気量との差ΔＭを算出する部分である。そして、スロットル開度設定部Ｂ６は、差ΔＭに基づき吸入空気量ＭＡＦを目標空気量にフィードバック制御するための操作量（スロットルバルブ２０の開度θｔｈ）を設定する部分である。ここでは、例えば差ΔＭに基づく比例項等に基づき、開度θｔｈを設定すればよい。
【００３１】
ＥＧＲバルブ開度設定部Ｂ８は、ディーゼル機関１０の回転速度と負荷とに関する情報に基づき、ＥＧＲバルブ４２の開度θｅｇを設定する部分である。本実施形態では、負荷として、要求トルクＤＴを用いる。
【００３２】
吸気酸素量推定部Ｂ１０は、ディーゼル機関１０内における気体の流通態様のモデルを用いて、ディーゼル機関１０の運転状態に基づき吸気中の酸素量を予測する部分である。ここで推定に用いるディーゼル機関１０の運転状態に関するパラメータとしては、吸気通路１２に吸入される吸気についての物理量がある。本実施形態では、エアフローメータ１６によって検出される吸入空気量、吸気温センサ２２によって検出される吸気温、及び吸気圧センサ２４によって検出される吸気圧に基づき推定を行う場合を例示する。
【００３３】
排気酸素濃度予測部Ｂ１２は、吸気酸素量推定部Ｂ１０によって推定されるシリンダ流入酸素量や、この推定に際して算出される燃焼室２６内に流入される気体の質量流量（シリンダ流入ガス量Ｍｃｌｄ）、更には、燃料噴射弁３０に対する噴射量の指令値（指令噴射量）に基づき、ディーゼル機関１０の運転状態に基づき排気中の酸素濃度の推定値である推定酸素濃度Ｃｅを算出する部分である。
【００３４】
誤差算出部Ｂ１４は、酸素濃度センサ３４の検出する酸素濃度と推定酸素濃度Ｃｅとの差ΔＣを算出する部分である。
【００３５】
モデル誤差学習部Ｂ１６では、上記差ΔＣに基づき、モデル誤差学習値ＬＭを学習し、且つモデル誤差を補償すべく推定酸素濃度Ｃｅを補正する部分である。すなわち、モデル誤差学習部Ｂ１６の出力するモデル誤差学習値ＬＭと推定酸素濃度Ｃｅとの和が推定値補正部Ｂ１８によって算出される。この推定値補正部Ｂ１８の出力に基づき、上記吸気酸素量推定部Ｂ１０では、シリンダ流入酸素量Ｏ２ｃｌｄを算出する。
【００３６】
ここで、吸気酸素量推定部Ｂ１０の行う処理について、図３を用いて詳述する。この処理は、ＥＣＵ５０により、例えば所定周期で繰り返し実行される。
【００３７】
この一連の処理では、まずステップＳ１０において、上記シリンダ流入ガス量Ｍｃｌｄを算出する。ここではまず、吸気圧Ｐｍ及び回転速度ＮＥから体積効率をマップ演算する。そして、吸気温Ｔｍ、吸気圧Ｐｍ及び体積効率を用いて気体の状態方程式からシリンダ流入ガス量Ｍｃｌｄを算出する。
【００３８】
続くステップＳ１２においては、例えば回転速度ＮＥ、吸入空気量ＭＡＦ、吸気圧Ｐｍ及び吸気温Ｔｍに基づき、マニホールド２５に流入する新気量を算出する。ここでは、例えば以下のようにして新気量を算出する。エアフローメータ１６からスロットルバルブ２０までの吸気通路１２内の容積ＶＩＮについて、同容積ＶＩＮ内の圧力を上記吸気圧Ｐｍで代用する。そして、吸気圧Ｐｍに基づき、同容積ＶＩＮ内の圧力の変化量ΔＰを算出する。この変化量ΔＰの算出されるタイムスケールにおける吸気通路１２内の質量保存則を用いると、上記マニホールド２５に流入する新気量Ｍｍは、下記の式によって算出することができる。
【００３９】
ＭＡＦ−Ｍｍ＝ΔＰ×ＶＩＮ／（Ｔｍ×Ｒ）
続くステップＳ１４においては、例えば上記変化量ΔＰ、吸気温Ｔｍ、上記シリンダ流入ガス量Ｍｃｌｄ、上記新気量Ｍｍ、及びマニホールド２５の容積Ｖｍに基づき、ＥＧＲ通路４０を介してマニホールド２５に流入する排気量（ＥＧＲ量Ｍｅｇｒ）を算出する。ここでは、マニホールド２５における質量保存則から、下記の式にてＥＧＲ量Ｍｅｇｒを算出する。
【００４０】
Ｍｍ＋Ｍｅｇｒ−Ｍｃｌｄ＝ΔＰ×Ｖｍ／（Ｔｍ×Ｒ）
続くステップＳ１６においては、例えばＥＧＲ量Ｍｅｇｒ、シリンダ流入ガス量Ｍｃｌｄ、新気量Ｍｍ及び上記推定酸素濃度Ｃｅ等に基づき、燃焼室２６内に流入する気体中の酸素濃度を算出する。ここで、推定酸素濃度Ｃｅは、ＥＧＲ中の酸素濃度として用いられる。これにより、新気がＥＧＲと合流した後の酸素濃度を算出することができる。そして、この酸素濃度にシリンダ流入ガス量Ｍｃｌｄを乗算することで、燃焼室２６内に流入する酸素量を算出することができる。
【００４１】
なお、ステップＳ１６の処理が完了すると、この一連の処理を一旦終了する。
【００４２】
先の図２に示す噴射量設定部Ｂ２０は、アクセルペダルの操作量、回転速度及びシリンダ流入酸素量Ｏ２ｃｌｄに基づき、燃料噴射弁３０に対する噴射量の指令値（指令噴射量）を設定する部分である。
【００４３】
図４に、本実施形態にかかるリッチ燃焼制御の処理手順を示す。この処理は、ＥＣＵ５０により、例えば所定周期で繰り返し実行される。
【００４４】
この一連の処理では、まずステップＳ２０において、リッチ燃焼制御条件が成立したか否かを判断する。ここでは、ＮＯｘ吸蔵還元触媒３８に吸蔵されるＮＯｘ量が所定以上となって且つ、ディーゼル機関１０が定常運転状態にあることを条件の成立とする。リッチ燃焼制御条件が成立すると判断されると、ステップＳ２２に移行する。ステップＳ２２においては、目標吸気量及びＥＧＲバルブ開度を設定する。ここで、目標吸気量は、要求トルク及び回転速度によって定まる値にステップ状に低減される。また、ＥＧＲバルブ開度は、要求トルク及び回転速度によって定まる値にステップ状に増大される。
【００４５】
続くステップＳ２４においては、酸素量収束フラグがゼロであるか否かを判断する。酸素量収束フラグは、上記目標吸気量及びＥＧＲバルブ開度をリッチ燃焼制御用に切り替えた後、実際の吸気量が目標吸気量に収束し且つＥＧＲ量が開度変更後に定常状態となったか否かを示すパラメータである。そして、酸素量収束フラグがゼロであるときには、未だ目標吸気量への収束及びＥＧＲ量の定常状態への移行が実現していないとして、ステップＳ２６に移行する。ステップＳ２６においては、先の図３のステップＳ１６によって算出されるシリンダ流入酸素量を取得する。
【００４６】
続くステップＳ２８においては、回転速度、アクセルペダルの操作量、及びシリンダ流入酸素量に基づき、指令噴射量をマップ演算する。この処理は、吸気量の漸減及びＥＧＲ量の漸増によってシリンダ流入酸素量が漸減するのに応じて、指令噴射量を漸増させる処理である。ここで、回転速度やアクセルペダルの操作量を参照するのは、出力トルクの変動のいっそうの抑制を図るためである。すなわち、リッチ燃焼時においては、燃焼に利用される酸素の割合である酸素利用率が回転速度に応じて変化するために、噴射量によっては出力トルクが一義的に定まらない。このため、出力トルクの変動を十分に抑制するように指令噴射量を漸増させるために、回転速度を参照する。また、アクセルペダルは、要求トルクを定めるパラメータである。このため、アクセルペダルの操作量を参照することで、現在要求されているトルクを維持しつつ指令噴射量を定めることができる。
【００４７】
続くステップＳ３０においては、シリンダ流入酸素量と目標酸素量との差の絶対値が所定値以下であるか否かを判断する。この処理は、上記目標吸気量及びＥＧＲバルブ開度をリッチ燃焼制御用に切り替えた後、実際の吸気量が目標吸気量に収束し且つＥＧＲ量が開度変更後に定常状態となったか否かを判断するものである。ここで、目標酸素量は、実際の吸気量が目標吸気量に収束し且つＥＧＲ量が開度変更後に定常状態となったときに、燃焼室２６に流入すると想定される酸素量である。この目標酸素量は、要求トルク及び回転速度に応じてマップ演算される。また、所定値は、実際の吸気量が目標吸気量に収束し且つＥＧＲ量が開度変更後に定常状態となったときに、シリンダ流入酸素量と目標酸素量との差の絶対値として生じ得る値に設定されている。
【００４８】
ステップＳ３０において所定値以下であると判断されるときには、換言すれば、実際の吸気量が目標吸気量に収束し且つＥＧＲ量が開度変更後に定常状態となったと判断されるときには、ステップＳ３２に移行する。ステップＳ３２においては、酸素量収束フラグを「１」とする。
【００４９】
一方、ステップＳ２４において否定判断されるときには、ステップＳ３４に移行する。ステップＳ３４においては、アクセルペダルの操作量及び回転速度に基づき、指令噴射量をマップ演算する。この処理は、リッチ燃焼制御時における指令噴射量を定めるためのものである。ここでは、アクセルペダルの操作量等から定まる要求トルクを、燃焼室２６内に流入する酸素量が目標酸素量であるときに実現可能な噴射量とされる。
【００５０】
なお、上記ステップＳ２０において否定判断されるときには、ステップＳ３６において酸素量収束フラグを「０」とする。また、上記Ｓ３０において否定判断されるときや、ステップＳ３２，Ｓ３４，Ｓ３６の処理が完了するときには、この一連の処理を一旦終了する。
【００５１】
図５に、上記リッチ燃焼制御の態様を示す。詳しくは、図５（ａ）に、実線にて吸気量の推移を示すとともに、一点鎖線にて目標吸気量の推移を示す。図５（ｂ）に、ＥＧＲバルブ開度の指令値の推移を示す。図５（ｃ）に、ＥＧＲ量の推移を示す。図５（ｄ）に、実線にてシリンダ流入酸素量の推移を示し、一点鎖線にて目標酸素量の推移を示す。図５（ｅ）に、噴射量の推移を示す。図５（ｆ）に、出力トルクの推移を示す。図示されるように、シリンダ流入酸素量の漸減に応じて噴射量を漸増させるために、リッチ燃焼制御への切り替えに際してトルクの変動を好適に抑制することができる。これに対し、図５（ｇ）に示すように、噴射量を、吸気量やＥＧＲ量が定常となったときの噴射量にステップ状に切り替えると、図５（ｈ）に示すように出力トルクが一時的に増大する。
【００５２】
このように本実施形態では、スロットルバルブ２０やＥＧＲバルブ４２の操作によって燃焼室２６内に流入する酸素量を低減するに際し、同酸素量の漸減に応じて噴射量を漸増させることで出力トルクを抑制することができるため、目標吸気量の設定態様やＥＧＲバルブ４２の開度の操作態様を自由に定めることができる。そして、本実施形態のようにこれらをステップ状に変化させることで、リッチ燃焼制御を行う期間を極力短縮することができる。これは、ディーゼル機関１０における燃焼状態の不安定化を極力抑制したり、ＮＯｘ吸蔵還元触媒３８の還元を確実に行ったりする上で極めて有効な設定である。すなわち、リッチ燃焼制御時には、燃焼が不安定化する。このため、リッチ燃焼制御期間は、極力短くすることが望ましい。また、ＮＯｘ吸蔵還元触媒３８の還元処理は、定常時に行うために、アクセルペダルの操作によってユーザから出力トルクの増大要求（加速要求等）があると、これを中断しなければならない。こうした理由から、リッチ燃焼制御期間は、極力短い時間とすることが望ましい。
【００５３】
更に、本実施形態では、先の図５に示されるように、酸素量の漸減が完了するときには噴射量の漸増を完了するように燃料噴射制御態様を設定している。これにより、ディーゼル機関１０の空燃比がリッチ燃焼制御時における定常状態となるまでの時間（酸素濃度センサ３４が定常状態となるまでの時間）を極力短くすることができる。なお、噴射量の漸増を、酸素量の漸減が完了するより前に完了するようにしてもよい。この場合であっても、出力トルクの変動を好適に抑制することができることが発明者らによって見出されている。特にこの場合には、ディーゼル機関１０の空燃比がリッチ燃焼制御時における定常状態となるまでの時間を、先の図５（ｇ）に示したように噴射量をステップ状に増大させたときと同等とすることもできる。
【００５４】
以上詳述した本実施形態によれば、以下の効果が得られるようになる。
【００５５】
（１）ＮＯｘ吸蔵還元触媒３８からＮＯｘを放出させることが所望される条件下、ディーゼル機関１０に吸入される新気量（燃焼室２６に流入する酸素量）を低減させる操作をし、且つ同操作に伴う酸素量の漸減に応じて噴射燃料量を漸増させた。これにより、漸減する都度の酸素量にとってトルクを増大させない程度の燃料量を噴射することができる。
【００５６】
（２）ディーゼル機関１０の燃焼室２６に流入する酸素量が漸減する期間内に噴射量の漸増を完了させた。これにより、出力トルクの変動を好適に抑制しつつも、ディーゼル機関１０の空燃比を、リッチ燃焼制御による所望の値に迅速に移行させることができる。
【００５７】
（３）推定される酸素量（シリンダ流入酸素量Ｏ２ｃｌｄ）に応じて噴射量を漸増させた。これにより、酸素量の漸減に応じた噴射燃料量の漸増にかかる処理を好適に行うことができる。
【００５８】
（４）シリンダ流入酸素量に加えて、ディーゼル機関１０の回転速度とアクセルペダルの操作量とに応じて噴射量を漸増させた。これにより、出力トルクの変動をより好適に抑制することができる。
【００５９】
（５）ＥＧＲバルブ４２の開度指令値及び目標吸気量をステップ状に変化させることで吸入される新気量を低減させた。これにより、リッチ燃焼期間を極力短縮することができる。
【００６０】
（第２の実施形態）
以下、第２の実施形態について、先の第１の実施形態との相違点を中心に図面を参照しつつ説明する。
【００６１】
図６に、本実施形態にかかるリッチ燃焼制御の処理手順を示す。この処理は、ＥＣＵ５０により、例えば所定周期で繰り返し実行される。
【００６２】
この一連の処理では、まずステップＳ４０において、リッチ燃焼制御フラグがゼロであるか否かを判断する。リッチ燃焼制御フラグは、リッチ燃焼制御条件が成立し、リッチ燃焼制御がなされている間「１」となる。ステップＳ４０において否定判断されるときには、ステップＳ４２に移行する。ステップＳ４２においては、リッチ燃焼制御条件が成立するか否かを判断する。この処理は、先の図４のステップＳ２０の処理と同様である。そして、ステップＳ４２において肯定判断されるときには、ステップＳ４４に移行する。ステップＳ４４においては、リッチ燃焼制御フラグを「１」とする。続くステップＳ４６においては、目標吸気量及びＥＧＲバルブの開度の指令値を設定する。この処理は、先の図４のステップＳ２２の処理と同様である。
【００６３】
次に、ステップＳ４８において、回転速度及び要求トルクに応じて噴射量徐変値Ｎをマップ演算する。この噴射量徐変値Ｎは、酸素量の漸減に応じて噴射量を漸増させる処理を行うためのパラメータである。ここで、回転速度を用いるのは、リッチ燃焼時の燃焼に利用される酸素の利用率が回転速度に依存するためである。また、要求トルクを用いるのは、要求トルクを維持しつつ噴射量を漸増させるためである。なお、噴射量徐変値Ｎは、ステップＳ４６の処理によって定められる目標吸気量とＥＧＲバルブ開度とを前提条件として、要求トルク及び回転速度に応じて予め適合されている。
【００６４】
続くステップＳ５０においては、カウンタｎの初期値を噴射量徐変値Ｎにセットする。そして、ステップＳ５２においては、カウンタｎがゼロであるか否かを判断する。この処理は、噴射量の漸増処理を完了するか否かを判断するためのものである。そしてステップＳ５２において否定判断されるときには、ステップＳ５４に移行する。ステップＳ５４においては、指令噴射量を漸増させる処理を行なう。すなわち、今回の指令噴射量を下記の式によって算出する。
【００６５】
ＱＦＩＮ＝ΔＱ×（Ｎ−ｎ）／Ｎ＋Ｑｏｌｄ
ここで、Ｑｏｌｄは、リッチ燃焼制御への切り替え直前の噴射量、すなわち、リッチ燃焼制御フラグが「１」となる直前の噴射量である。また、ΔＱは、リッチ燃焼制御時において吸気量やＥＧＲ量が定常状態となったときに所望される噴射量Ｑａから上記Ｑｏｌｄを減算したものである。これにより、カウンタｎがデクリメントされるに伴い、指令噴射量が所望される噴射量Ｑａへと漸増する。ステップＳ５４の処理が完了すると、ステップＳ５６に移行する。ステップＳ５６においては、カウンタｎをデクリメントする。
【００６６】
一方、ステップＳ５２において肯定判断されるときには、ステップＳ５８に移行する。ステップＳ５８においては、指令噴射量を、上記所望の噴射量Ｑａとする。また、ステップＳ４２において否定判断されるときには、ステップＳ６０において、リッチ燃焼制御フラグを「０」とする。
【００６７】
なお、ステップＳ５６〜６０の処理が完了するときには、この一連の処理を一旦終了する。
【００６８】
図７に、上記処理の態様を示す。図７（ａ）〜図７（ｆ）は、先の図５（ａ）〜図５（ｆ）と対応しているが、本実施形態ではシリンダ流入酸素量を算出していないため、図７（ｄ）は、実際に燃焼室２６内に流入する酸素量としている。図示されるように、本実施形態においても、燃焼室２６内に流入する酸素量の漸減に応じて噴射量が漸増することで、出力トルクの変動を好適に抑制することができる。
【００６９】
以上説明した本実施形態によれば、先の第１の実施形態の上記（１）、（５）の効果に加えて、更に以下の効果が得られるようになる。
【００７０】
（６）ディーゼル機関１０の回転速度及び要求トルクに基づき、酸素量の漸減に応じた噴射量の漸増処理を行った。これにより、要求されている出力トルクを生成する上で適切な態様にて噴射量の漸増処理を行なうことができる。
【００７１】
（その他の実施形態）
なお、上記各実施形態は、以下のように変更して実施してもよい。
【００７２】
・上記第１の実施形態では、シリンダ流入酸素量と回転速度と負荷（アクセルペダルの操作量）との３つのパラメータから漸増する噴射量をマップ演算したがこれに限らない。例えば負荷として、要求トルクを用いてもよい。また、例えばシリンダ流入酸素量と回転速度との２つのパラメータによって漸増する噴射量をマップ演算してもよい。更に、リッチ燃焼制御を行う領域におけるディーゼル機関１０の回転速度が比較的限られた値となるのであれば、シリンダ流入酸素量のみに応じて漸増する噴射量を算出しても、出力トルクを好適に抑制することができる。
【００７３】
・上記第１の実施形態では、シリンダ流入酸素量が目標酸素量と略等しくなるときに噴射量の漸増処理を完了したが、これに限らない。例えば漸増処理期間を定め、同期間の経過によって漸増処理を完了してもよい。この際、漸増処理期間を、回転速度と要求トルクとからマップ演算するようにしてもよい。
【００７４】
・上記第２の実施形態では、噴射量を直線的に漸増させたが、これに限らない。例えば回転速度や要求トルクをパラメータとして、これらの値に応じて噴射量漸増曲線ｆ（ｔ）を適合し、同曲線ｆ（ｔ）にしたがって、噴射量を漸増させてもよい。
【００７５】
・ディーゼル機関１０に吸入される新気量を低減すべく、目標吸気量やＥＧＲバルブの開度をステップ状に変化させたが、これに限らず、徐々に変化させてもよい。ただし、リッチ燃焼制御期間を極力短縮する観点からは、極力迅速に変化させることが望ましい。
【００７６】
・ディーゼル機関１０に吸入される新気量を低減すべく、目標吸気量を減少させたが、これに限らず、例えばリッチ燃焼制御時においてスロットルバルブ２０の開度をオープン制御し、且つ同開度をリッチ燃焼制御時の値にしてもよい。
【００７７】
・ディーゼル機関１０に吸入される新気量を低減すべく、ＥＧＲバルブ４２の開度をオープン制御にて所定開度まで減少させたが、これに限らず、例えばリッチ燃焼制御時において吸入空気量をフィードバック制御すべくＥＧＲバルブ４２を操作してもよい。
【００７８】
・ディーゼル機関１０に吸入される新気量の低減手法としては、スロットルバルブ２０の開度の低減及びＥＧＲバルブ４２の開度の増大によって行うものに限らない。例えばいずれか一方の処理のみでもよい。
【００７９】
・内燃機関としては、ディーゼル機関等の圧縮着火式内燃機関に限らず、ガソリン機関等の火花点火式内燃機関であってもよい。
【図面の簡単な説明】
【００８０】
【図１】第１の実施形態にかかるエンジンシステムの全体構成を示す図。
【図２】同実施形態にかかるリッチ燃焼制御の処理を示すブロック図。
【図３】同実施形態にかかる吸気酸素量の推定処理の手順を示すフローチャート。
【図４】同実施形態にかかるリッチ燃焼制御処理の手順を示すフローチャート。
【図５】同実施形態にかかるリッチ燃焼制御態様を示すタイムチャート。
【図６】第２の実施形態にかかるリッチ燃焼制御処理の手順を示すフローチャート。
【図７】同実施形態にかかるリッチ燃焼制御態様を示すタイムチャート。
【符号の説明】
【００８１】
１０…ディーゼル機関、３０…燃料噴射弁、３８…ＮＯｘ吸蔵還元触媒、５０…ＥＣＵ（燃料噴射制御装置の一実施形態）。
【図１】
2008088838.tif 000003
【図２】
2008088838.tif 000004
【図３】
2008088838.tif 000005
【図４】
2008088838.tif 000006
【図５】
2008088838.tif 000007
【図６】
2008088838.tif 000008
【図７】
2008088838.tif 000009